(57)【要約】【課題】多数の紫外線ＬＥＤを用いて、歯科治療ユニットにおけるインスツルメントに大気中の細菌が付着するのをより効果的に防止し、より衛生的な歯科治療を可能とする。【解決手段】５はインスツルメントホルダー、５ａは該インスツルメントホルダー５のカバー、６はインスツルメントを示し、インスツルメントホルダー５のインスツルメント載置部及び／又はその近傍の表面、及び、カバー５ａの内表面等には、紫外線ＬＥＤ２０が多数設けられている。これら紫外線ＬＥＤ２０から放射される紫外線が、インスツルメント６に照射されるようになっている。【選択図】図１
2006280832.tif 000002
【特許請求の範囲】
【請求項１】
歯科治療用インスツルメントを収容する容器であって、該容器内に紫外線を照射する紫外線ＬＥＤを多数有し、該容器内の歯科治療用インスツルメントに前記紫外線ＬＥＤよりの紫外線を略全方向から照射して該歯科治療用インスツルメントを滅菌するようにしたことを特徴とする歯科治療用インスツルメントの滅菌装置。
【請求項２】
前記容器は、カバー付インスツルメントホルダーであって、多数の紫外線ＬＥＤが前記インスツルメントホルダー及びカバーに取り付けられ、インスツルメントホルダーに載置されたインスツルメントに略全方向から紫外線を照射するようにしたことを特徴とする請求項１に記載の歯科治療用インスツルメントの滅菌装置。
【請求項３】
前記容器は、歯科治療用インスツルメントの注油容器であって、多数の紫外線ＬＥＤが前記注油容器に取り付けられ、該注油容器内の前記歯科治療用インスツルメントに略全方向から紫外線を照射するものであることを特徴とする請求項１に記載の歯科治療用インスツルメントの滅菌装置。
【請求項４】
前記容器は、内部に歯科治療用インスツルメントを載置可能なターンテーブルを有し、多数の紫外線ＬＥＤが前記容器に取り付けられ、前記ターンテーブル上の歯科治療用インスツルメントに略全方向から紫外線を照射することを特徴とする請求項１に記載の歯科治療用インスツルメントの滅菌装置。
【請求項５】
歯科治療ユニットのコップ式うがい水供給スピットンのコップ載置部上方に多数の紫外線ＬＥＤを有し、該多数の紫外線ＬＥＤは、前記コップ載置部に置かれたコップに上方から紫外線を照射するものであることを特徴とする歯科治療ユニットにおけるうがい水滅菌装置。
【請求項６】
前記多数の紫外線ＬＥＤは前記コップ載置部の上方において、前記コップの径に略対応した径の円環状に配設されていることを特徴とする請求項５に記載の歯科治療ユニットにおけるうがい水滅菌装置。
【発明の詳細な説明】
【技術分野】
【０００１】
本発明は、多数の紫外線ＬＥＤを効果的に用いて、歯科治療に当って患者の口腔内に入れて患者の歯牙等の治療を行うインスツルメントを滅菌するための滅菌装置、及び、歯科治療に際して患者が口腔内をうがいする時に使用する水を滅菌するための装置に関する。
【背景技術】
【０００２】
図４は、本発明が適用される歯科治療ユニットの一例を説明するための概略全体構成図で、図中、１０は歯科治療ユニットで、該ユニット１０は、治療椅子１，ワークテーブル２，スピットン３，うがい水噴射管４，術者（ドクター）用インスツルメントホルダー５，術者用インスツルメント６，インスツルメントホース７，アシスタント用インスツルメントホルダー８等から成り、インスツルメントホルダー５には、歯科治療において使用する種々のインスツルメント６が収納されており、周知のように、歯科治療に当り、患者は椅子１に座り、頭を安頭台１１に固定して治療を受ける。治療中、術者は治療椅子１を上下動，倒起動，傾斜動等させて、患者を治療しやすい姿勢にし、インスツルメントホルダー５よりインスツルメント６を引き出して、治療を行う。
【０００３】
アシスタントホルダー８には、シリンジ，バキューム管，排唾管等９が準備されており、治療時、アシスタントが患者の口腔内を清浄にし、或いは、患者の口腔内に生じる汚液、唾液等を吸引・排出するようにしている。このアシスタントホルダー８は、スタンドアロン式のものがあるが、図に示すように、アーム１２を通して固定部材、例えば、スピットン給排水ボックス１３に固定されているものもある。
【０００４】
更に、患者は、歯科治療に先立って或いは歯科治療中に、口腔内をうがいするが、図示のように、うがい水をうがい水噴射管４よりコップ１４に注ぎ、該コップ１４内の水でうがいをするコップ式うがい方式の場合、外気中の細菌がコップの表面に付着し或いはコップ内に侵入し、不衛生であった。
【発明の開示】
【発明が解決しようとする課題】
【０００５】
上述のごとき、歯科治療ユニットにおいて、術者は、術者用インスツルメントホルダー５から所望のインスツルメント６を取り出して、例えば、エアータービンを取り出して歯牙の切削等を行い、アシスタントは、アシスタント用インスツルメントホルダー８から、例えば、シリンジ９を取り出して患者の口腔内を清掃すること等が行われるが、これらインスツルメント６，９等は、常時は、大気中に露されており、その間に、大気中の細菌等が付着してしまい、不衛生であった。
【０００６】
本発明は、上述のごとき実情に鑑みてなされたもので、特に、多数の紫外線ＬＥＤを効果的に用いて、歯科治療ユニットにおけるインスツルメントに大気中の細菌が付着するのを防止し、或いは、うがい用コップに大気中の細菌が付着し或いはうがい水に大気中の細菌が侵入して繁殖するのを防止し、もって、より衛生的な歯科治療を可能にすることを目的としてなされたものである。
【課題を解決するための手段】
【０００７】
請求項１の発明は、歯科治療用インスツルメントを収容する容器であって、該容器内に紫外線を照射する紫外線ＬＥＤを多数有し、該容器内の歯科治療用インスツルメントに前記紫外線ＬＥＤよりの紫外線を略全方向から照射して該歯科治療用インスツルメントを滅菌するようにしたことを特徴としたものである。
【０００８】
請求項２の発明は、請求項１の発明において、前記容器は、カバー付インスツルメントホルダーであって、多数の紫外線ＬＥＤが、前記インスツルメントホルダー及びカバーに取り付けられ、インスツルメントホルダーに載置されたインスツルメントに略全方向から紫外線を照射するようにしたことを特徴としたものである。
【０００９】
請求項３の発明は、請求項１の発明において、前記容器は、歯科治療用インスツルメントの注油容器であって、多数の紫外線ＬＥＤが、前記注油容器に取り付けられ、該注油容器内の前記歯科治療用インスツルメントに略全方向から紫外線を照射するものであることを特徴としたものである。
【００１０】
請求項４の発明は、請求項１の発明において、前記容器は、内部に歯科治療用インスツルメントを載置可能なターンテーブルを有し、多数の紫外線ＬＥＤが前記容器に取り付けられて前記ターンテーブル上の歯科治療用インスツルメントに略全方向から紫外線を照射することを特徴としたものである。
【００１１】
請求項５の発明は、歯科治療ユニットのコップ式うがい水供給スピットンのコップ載置部の上方に多数の紫外線ＬＥＤを有し、該多数の紫外線ＬＥＤは、前記コップ載置部の上方に置かれたコップに上方から紫外線を照射するものであることを特徴としたものである。
【００１２】
請求項６の発明は、請求項５の発明において、前記多数の紫外線ＬＥＤは前記コップ載置部の上方において、前記コップの径に略対応した径の円環状に配設されていることを特徴としたものである。
【発明の効果】
【００１３】
本発明によると、多数の紫外線ＬＥＤを用いて、歯科治療ユニットにおけるインスツルメント或いはうがい用コップに大気中の細菌が付着するのをより効果的に防止し、更には、うがい水中に細菌が繁殖するのをより効果的に防止するようにしたので、より衛生的な歯科治療を行うことができる。
【発明を実施するための最良の形態】
【００１４】
図１は、本発明の一実施例を説明するための図で、図１（Ａ）は、本発明が適用される歯科治療ユニットの一部であるインスツルメントホルダー部を示す図、図１（Ｂ）は、図１（Ａ）に示したインスツルメントホルダーを、図１（Ａ）のＢ−Ｂ線から見た時の一部断面図で、図中、５は術者用インスツルメントホルダー、６は術者用インスツルメント、７は該インスツルメント６に着脱自在に連結され該インスツルメント６にエアー、電気、水等を供給するインスツルメントホースで、本発明においては、インスツルメントホルダー５はカバー５ａを有し、インスツルメント非使用時、インスツルメント６は、該カバー５ａによって外気との接触が断れているが、インスツルメント使用時は、該カバー５ａが開けられ、使用中のインスツルメントは勿論のこと、非使用中のインスツルメントも大気に露され、その間に、大気中の細菌がインスツルメントに付着してしまい、不衛生であった。
【００１５】
本発明は、上述のごとき実情に鑑みてなされたもので、歯科治療ユニットのインスツルメントホルダーに載置されているインスツルメントを、非使用時、カバー５ａによって大気に露されないようにするとともに、紫外線ＬＥＤ２０からの紫外線を該インスツルメント６に照射して、該インスツルメント６に付着した細菌を減菌し、より衛生的な歯科治療を可能にしたもので、図示のように、インスツルメントホルダー５のインスツルメント載置部及び／又はその近傍の表面、及び、カバー５ａの内表面等には、紫外線ＬＥＤ２０が多数設けられており、これら紫外線ＬＥＤ２０から放射される紫外線が、インスツルメント６に照射されるようになっている。これら紫外線ＬＥＤ２０は、インスツルメント非使用時は点灯され、これらインスツルメント６に細菌が付着されるのを防止し、そのうちの１本或いは複数本が使用中であっても、紫外線ＬＥＤ２０のいくつかは点灯され、非使用中のインスツルメントに紫外線を照射し、これら非使用中のインスツルメントに細菌が付着しないようにしている。
【００１６】
図２は、本発明の他の実施例を説明するための図で、図２（Ａ）は、インスツルメント６の自動注油装置３０に多数の紫外線ＬＥＤ２０を設け、該多数の紫外線ＬＥＤ２０からの紫外線にて自動注油装置３０内のインスツルメント６に照射するようにして、もって、インスツルメント６の注油メンテナンス中に、インスツルメントの滅菌（消毒）を行うようにしたものである。図２（Ｂ）は、容器４０内のインスツルメント６に多数の紫外線ＬＥＤ２０からの紫外線を照射するようにするとともに、該容器４０内にターンテーブル４１を設け、このターンテーブル４１にインスツルメント（ハンドピース）６を着脱自在に立置可能にし、もって、インスツルメント保管時、該インスツルメントを効果的に滅菌（消毒）するようにしたものである。
【００１７】
なお、図２に示した例は、それぞれ、インスツルメント６をインスツルメントホースから切り離した状態で、インスツルメント６に紫外線を照射するようにしたものであるが、インスツルメントをインスツルメントホースから切り離した状態で、該インスツルメントを保管管理する手段は、前記例以外に多々あるが、それらの保管状態においても、保管中、その状態に合せて、紫外線ＬＥＤからの紫外線を照射するのは容易に可能である。
【００１８】
図３は、本発明の他の実施例を説明するための図で、図３（Ａ）は要部斜視図、図３（Ｂ）は図３（Ａ）の側面図で、図中、５０は本発明によって付加された紫外線照射器で、該紫外線照射器５０は、多数のＬＥＤ２０により、うがい用コップ１４の上方に該コップ１４の径と略同一径の円環状に形成されたもので、歯科治療中、該紫外線照射器５０の紫外線ＬＥＤ２０を点灯しておくことにより、うがい用コップ１４のまわりに細菌が付着し、或いは、うがい用コップ内の水中で細菌が繁殖するのを防止することができる。なお、図３には、紫外線照射器をうがい水噴射管４とは別体に設けた例を示したが、うがい水噴射管４の放水口部に下方に向けて紫外線を照射するように紫外線ＬＥＤを設けてもよいことは、容易に理解されよう。
【００１９】
以上に説明したように、多数の紫外線ＬＥＤを用いて、被滅菌体に対して、略全方向から紫外線を照射するようにしたので、被滅菌体を満遍なく効果的に滅菌することができる。
【図面の簡単な説明】
【００２０】
【図１】本発明が適用される歯科治療ユニットの一部であるインスツルメントホルダー部を示す図である。
【図２】本発明の他の実施例を説明するための図である。
【図３】本発明の他の実施例を説明するための図である。
【図４】本発明が適用される歯科治療ユニットの一例を説明するための概略全体構成図である。
【符号の説明】
【００２１】
１…歯科用治療椅子、２…ワークテーブル、３…スピットン、５…インスツルメントホルダー、６…インスツルメント、７…インスツルメントホース、８…アシスタント用インスツルメントホルダー、２０…紫外線ＬＥＤ、３０…自動注油装置、４０…容器、５０…紫外線照射器。
【図１】
2006280832.tif 000003
【図２】
2006280832.tif 000004
【図３】
2006280832.tif 000005
【図４】
2006280832.tif 000006